(57)【特許請求の範囲】
【請求項１】
車輪を備えた車体フレームに第１ハウジングを取付け、第１ハウジングに第２カッタハウジングをヒンジ連結し、前記第２ハウジングの前部から前方へ斜めに上った形状の草導入部を延出し、この草導入部の側方に隙間を有して且つ草導入部に沿って第２ハウジングからアームを延出し、このアームに補助輪を取付け、第１ハウジング内の平面刃で畦の上面を刈り、第２ハウジング内の斜面刃で畦の斜面を刈る形式の草刈機において、前記草導入部とアームとの間の前記隙間への草の侵入を防止する侵入防止部材を、草導入部の前端部に一体に形成するとともに前端部からアームに向かって延出して、前記隙間の前側を塞いだことを特徴とする草刈機。
【発明の詳細な説明】
【０００１】
【産業上の利用分野】
本発明は草刈機の改良に関する。
【０００２】
【従来の技術】
稲作の労働軽減の一策として、畦の草刈りを人力から機械力に置き換える試みがなされ、例えば特開平６−２７６８２５号公報「草刈機及び角度調整装置及び揺動制御装置」があり、その公報の図１及び図５によれば、フレームＦにカッター基台２（第１ハウジングに相当）を取付け、このカッター基台２に可変カッター基台３（第２ハウジングに相当）をヒンジ２９で連結した草刈機であって、カッター基台２に畦の上面を刈る回転刃４３を収納し、可変カッター基台３に畦の斜面を刈る回転刃４３ａを収納した構成である。可変カッター基台３の前部が草を導入するために開放され、更に、前部にガイド車輪３１（補助輪に相当）を備えている。
【０００３】
ところで、このような草刈機の第２ハウジングは、図６に示すような構成にして草の導入を容易にすることが多い。
図６（ａ）〜（ｃ）は従来の草刈機の第２ハウジングの前部の説明図である。図６（ａ）に示すように畦１０１には、太く長い茎に生い茂った草（雑草）１０２…が密生していることが多い。このような草１０２…は地面からほぼ垂直に生え、根が強く茎も丈夫である。
このため、草１０２…を草刈機で刈る場合に、第２ハウジング１０３の天井板が平坦であると、それの前端１０３ａで草１０２…を押しても丈夫なので簡単には傾かない。
従って、第２ハウジング１０３の前端１０３ａから斜面刃１０４までの距離が長いと、草１０２…は第２ハウジング１０３内に入り難いので、斜面刃１０４に当たらず刈り残しが出る恐れがある。
【０００４】
そこで、このような問題点を解消するために、図６（ｂ），（ｃ）に示すように、第２ハウジング１０３の前端１０３ａに傾斜状の草導入部１０５を延出することが好ましい。
これによれば、草１０２…は草導入部１０５に倣って傾きながら第２ハウジング１０３内に導入され、斜面刃１０４できれいに刈り取られる。
【０００５】
【発明が解決しようとする課題】
しかしながら、上記図６（ｂ），（ｃ）の構成では、第２ハウジング１０３の前部にアーム１０６で補助輪１０７を取付けているので、アーム１０６と草導入部１０５との間の隙間１０８に草１０２…が噛み込んで、草刈機の進行を阻害する心配がある。草１０２…は隙間１０８に密集して噛み込み、しかも地面に十分に根を張っているので抵抗が強く、草刈機の進行を妨げる。
本発明の目的は、補助輪を取付けるアームと草導入部との間の隙間への草の侵入を防止することにある。
【０００６】
【課題を解決するための手段】
上記目的を達成するために本発明は、車輪を備えた車体フレームに第１ハウジングを取付け、第１ハウジングに第２カッタハウジングをヒンジ連結し、前記第２ハウジングの前部から前方へ斜めに上った形状の草導入部を延出し、この草導入部の側方に隙間を有して且つ草導入部に沿って第２ハウジングからアームを延出し、このアームに補助輪を取付け、第１ハウジング内の平面刃で畦の上面を刈り、第２ハウジング内の斜面刃で畦の斜面を刈る形式の草刈機において、前記草導入部とアームとの間の前記隙間への草の侵入を防止する侵入防止部材を、草導入部の前端部に一体に形成するとともに前端部からアームに向かって延出して、前記隙間の前側を塞いだことを特徴とする。
【０００７】
【作用】
草導入部とアームとの間の隙間は、侵入防止部材で塞がれている。このため、草は侵入防止部材によって隙間への侵入が阻止される。
【０００８】
【実施例】
本発明の実施例を添付図に基づいて以下に説明する。なお、「前」、「後」、「左」、「右」、「上」、「下」は草刈機の作業者から見た方向に従う。また、図面は符号の向きに見るものとする。
図１は本発明に係る草刈機の平面図であり、草刈機１は、パイプ状の車体フレーム２の前部に前輪３、後部に後輪４を備え、前記車体フレーム２に、より大径の揺動管５を嵌合し、この揺動管５にエンジン７を載置するとともにカッタハウジング１０を吊り下げ、カッタハウジング１０内部に平面刃２１と斜面刃２２とを前後及び左右に離間して配置した二面刈り草刈機の構成である。
【０００９】
カッタハウジング１０は、車体フレーム２に取付けられた固定側ハウジングとしての第１ハウジング１１と揺動側ハウジングとしての第２ハウジング１２とをヒンジ１３にて連結したものであり、第１ハウジング１１は平面刃２１を収納し、第２ハウジング１２は斜面刃２２を収納する。１４はヒンジ１３を通る揺動軸線である。
すなわち、草刈機１は後輪４の輪幅中心を通る車体フレーム２の走行方向軸心から一方（この実施例では左側）に平面刃２１及び斜面刃２２をオフセットし、同方向に前輪３もオフセットし、他方（この実施例では右側）にエンジン７をオフセットしたものである。平面刃２１は走行方向軸心からわずかにオフセットしている。
【００１０】
この場合、前輪３は草刈機１を走行する際の操縦の目安となるガイド車輪であって細幅タイヤからなり、後輪４は草刈機１を自走するための走行車輪であって広幅タイヤからなる。
更に、草刈機１は後輪４側を前輪３側よりも重く設定され、例えば、草刈機１の重量配分は、前輪３で受ける重量と後輪４で受ける重量との比率を約１：４に設定される。
【００１１】
前輪３は、車体フレーム２の前部から延出した前輪用アーム２３に取付けられる。また、第２ハウジング１２の左側前部から補助輪用アーム２４が延出され、補助輪用アーム２４の前部に第２ハウジング１２の高さを規定するための補助輪２５が取付けられる。
【００１２】
エンジン７は出力軸７ａが下向きであり、ベルト伝動機構３０を介して前記平面刃２１及び斜面刃２２を回動するものである。
ベルト伝動機構３０は上下２段に張られた第１ベルト３１、第２ベルト３２及びプーリ類からなり、第１ベルト３１で平面刃２１を駆動し、第２ベルト３２で斜面刃２２を駆動するものである。
すなわち、第１ベルト３１は、エンジン７の出力軸７ａに取付けられた第１プーリ３３と、平面刃軸２１ａを駆動するための第２プーリ３４とに巻回されている。
【００１３】
４２は第１ハウジング１１に係止された揺動レバーであり、この揺動レバー４２の一端にテンショナーロール４３、他端にブレーキシュー４４を形成し、作業者が図示せぬ操作レバー及びワイヤで揺動レバー４２を図反時計方向へ揺動すれば、第１ベルト３１は緊張して、第１プーリ３３の動力を第２プーリ３４に伝達し、平面刃軸２１ａを駆動する構成となっている。逆に、揺動レバー４２を図時計方向へ揺動すれば、第１ベルト３１は弛み、動力の伝達が弱まり、ブレーキシュー４２で第１ベルト３１を制動することができる。
以上の要領で、エンジン運転中並びに走行中に、任意に平面刃２１の運転／停止をなせる。
【００１４】
第２ベルト３２は、第２プーリ３４の下方に一体形成されたアイドラープーリ３５（以下「第３プーリ３５」と言う）、斜面刃軸２２ａを駆動するための第４プーリ３６、揺動軸線１４の近傍に概ね前後１列に配列された３つのアイドラープーリ３７〜３９（以下「第５・第６・第７プーリ３７〜３９」と言う）、第５プーリ３７の下方に一体形成されたアイドラープーリ４１（以下「第８プーリ４１」と言う）に巻回されている。
配置的には、後側の第５プーリ３７（第８プーリ４１を含む）を第１ハウジング１１に軸支し、前側の傾斜した第６プーリ３８及び中央の第７プーリ３９を第２ハウジング１２に軸支している。従って、第２ベルト３２は第３プーリ３５・第５プーリ３７・第６プーリ３８・第４プーリ３６・第７プーリ３９・第８プーリ４１・第３プーリ３５のループで巻回される。
【００１５】
図２は本発明に係る草刈機の側面図（要部）であり、車体フレーム２に揺動管５が取付けられ、この揺動管５にマウントプレート６を介してエンジン７がマウントされ、一方、揺動管５にハンガブラケット８，８を介して第１ハウジング１１が吊り下げられていることを示す。
エンジン７は上記２つの刈刃（平面刃２１及び斜面刃２２）の他に、ユニバーサル軸２６を介して無段変速機２７を駆動し、この無段変速機２７でチェーン２８を介して後輪４を駆動するものである。
【００１６】
前輪用アーム２３はピン５１で車体フレーム２側に取付けられているとともに、差込みピン５２を差し替えることにより取付け角を変更できる機構となっている。５３…（…は複数を示す。以下同じ。）はピン孔であり、５４はプレートである。
同様に、補助輪用アーム２４はピン５５で第２ハウジング１２側に取付けられているとともに、差込みピン５６を差し替えることにより取付け角を変更できる機構となっている。５７はプレートである。
また、ハンドル６１は車体フレーム２の後部にピン６２で揺動可能に取付けられ、差込みピン６３を差し替えることにより取付け角を変更できる機構となっている。６４…はピン孔であり、６５はサポートである。
【００１７】
なお、上記揺動管５を廃止し、車体フレーム２にブラケットを介して第１ハウジング１１を直接的に取付けてもよいが、本実施例では第１ハウジング１１もある程度揺動可能にした。また、カッタハウジング１０は車体フレーム２に取付けられる構成であればよく、吊り下げる構成に限らず、例えば載置するものでもよい。
【００１８】
図３は本発明に係る草刈機の揺動姿勢を示す図（正面視）であり、第１ハウジング１１にヒンジ１３を介して第２ハウジング１２が揺動自在に連結されていることを示す。
なお、６７は前輪３を跨ぐパイプ状の前輪ガード部材であり、第１ハウジング１１の前端に取付けられたブラケット６８にボルト固定される。
【００１９】
図４は本発明に係る第２ハウジングの前部の平面図であり、第２ハウジング１２の前部左側部に草導入部１５を延出し、この草導入部１５に沿って第２ハウジング１２からアーム（補助輪用アーム）２４を延出したことを示す。
草導入部１５は図２に示すように、前方（この図の左側）へ斜めに上った形状のものである。このため、草Ｐの先端部分が草導入部１５に倣って傾きながら第２ハウジング１２内に導入されるので、草Ｐは斜面刃２２できれいに刈り取られる。
【００２０】
ところで、第２ハウジング１２の上部に取付けられた補助輪用アーム２４は、上下方向（この図の表裏方向）の取付角が調整可能な構成である。このように、補助輪用アーム２４が揺動可能であるためには、草導入部１５と補助輪用アーム２４との間には必然的に隙間Ｓを要し、この隙間Ｓに草Ｐが侵入し易い。隙間Ｓに侵入する草Ｐは畦から立上がって生えているので、草Ｐの侵入を防止するには、地面と概ね水平（第２ハウジング１２の天井板と概ね平行）にした部材で隙間Ｓの前端を塞げばよい。
そこで、草導入部１５の前端部には、隙間Ｓの前側を塞いで隙間Ｓへの草Ｐの侵入を防止するための侵入防止部材１６を一体に形成する。
【００２１】
図５は図４の５−５線拡大断面図であり、侵入防止部材１６は草導入部１５の前端部から補助輪用アーム２４に向って延出しており、少なくとも補助輪用アーム２４の一部にオーバーラップし、好ましくは補助輪用アーム２４の軸心まで若しくはそれ以上オーバーラップする。
なお、草導入部１５の左側面（補助輪用アーム２４と反対側）は、第２ハウジング１２（図４参照）から延出した側壁１５ａで覆われている。
【００２２】
以上に述べた草刈機の作用を図２及び図３に基づき説明する。
図２に示す姿勢の草刈機１は、斜面刃２２が平面刃２１と平行（面一）であるところの非揺動姿勢をしており、農道走行及び広い平坦面の草刈に適している。この際、図示しないチェーン等を使用して第２ハウジング１２を持上げることにより、補助輪２５を地面から浮せることもできる。
図３に示す姿勢の草刈機１は、畦７０の上面７１に平面刃２１が平行とされ、斜面７２に倣って第２ハウジング１２並びに斜面刃２２が傾斜した姿勢であり、この姿勢で、平面刃２１で畦７０の上面７１の草を刈り、斜面刃２２で斜面７２の草を刈る。
【００２３】
次に、侵入防止部材１６の作用を図４に基づき説明する。
草導入部１５の前部に侵入防止部材１６を設けているので、侵入防止部材１６で隙間Ｓの前側が塞がれるため、草刈機を前進させても隙間Ｓに草Ｐが侵入しない。このため、隙間Ｓに草Ｐが噛み込んで、草刈機の進行を阻害する心配がない。また、侵入防止部材１６は草導入部１５の前部に設けるだけの簡単な構造でよい。
【００２４】
なお、上記実施例において、侵入防止部材１６は草導入部１５と補助輪用アーム２４との間の隙間Ｓへの草Ｐの侵入を防止するものであり、補助輪用アーム２４に設ける構成でもよい。
また、侵入防止部材１６は草導入部１５や補助輪用アーム２４と一体に形成する構成の他に、例えば棒材等の別部材を固着した構成にしてもよい。
【００２５】
【発明の効果】
以上に述べた通り本発明は、第２ハウジングの前部から前方へ斜めに上った形状の草導入部を延出し、この草導入部の側方に隙間を有して且つ草導入部に沿って第２ハウジングからアームを延出し、このアームに補助輪を取付け、草導入部とアームとの間の隙間への草の侵入を防止する侵入防止部材を、草導入部の前端部に一体に形成するとともに前端部からアームに向かって延出して、隙間の前側を塞いだことにより、草導入部とアームとの間の隙間への草の侵入を容易に防止できるので、草刈機の円滑な走行が図れる。
【図面の簡単な説明】
【図１】本発明に係る草刈機の平面図
【図２】本発明に係る草刈機の側面図（要部）
【図３】本発明に係る草刈機の揺動姿勢を示す図（正面視）
【図４】本発明に係る第２ハウジングの前部の平面図
【図５】図４の５−５線拡大断面図
【図６】従来の草刈機の第２ハウジングの前部の説明図
【符号の説明】
１…草刈機、２…車体フレーム、３…前輪、４…後輪、７…エンジン、１０…カッタハウジング、１１…第１ハウジング、１２…第２ハウジング、１３…ヒンジ、１５…草導入部、１６…侵入防止部材、２１…平面刃、２２…斜面刃、２４…アーム（補助輪用アーム）、２５…補助輪、Ｓ…隙間、Ｐ…草。
【図１】
0003575637.tif 000002
【図２】
0003575637.tif 000003
【図３】
0003575637.tif 000004
【図４】
0003575637.tif 000005
【図５】
0003575637.tif 000006
【図６】
0003575637.tif 000007